(57)【要約】【課題】ランプから放射される光を効率的に目的とする方向に向けて放射させることが可能な照明器具を提供する。【解決手段】照明器具１０は、正面側および側面周囲に発光部１１ｂ１、１１ｂ２を有するランプ１１を具備し、器具本体はランプにおける側面周囲の発光部１１ｂ２から背面側に放射される光の延長線ａ−ａ上に略沿って傾斜する反射面を側面１２ａに有する箱体からなる。ソケット１３は、器具本体内に設けられランプが装着される。カバー部材１４は、ランプを覆うように器具本体に設けられランプから放射される光をランプの略中心を通る直線ｘ−ｘ上に沿って対向する両方向に向けて放射する開口部１４ｃを有する。【選択図】        図１
2012043687.tif 000002
【特許請求の範囲】
【請求項１】
正面側および側面周囲に発光部を有するランプと；
ランプにおける側面周囲の発光部から背面側に放射される光の延長線上に略沿って傾斜する反射面を側面に有する箱体からなる器具本体と；
器具本体内に設けられ、ランプが装着されるソケットと；
ランプを覆うように器具本体に設けられ、ランプから放射される光をランプの略中心を通る直線上に沿って対向する両方向に向けて放射する開口部を有するカバー部材と；
を具備していることを特徴とする照明器具。
【請求項２】
前記ランプにおける側面周囲の発光部からカバー部材の開口部に向けて両方向に放射される光は、一方が遮光部材によって部分的に遮光されることを特徴とする請求項１に記載の照明器具。
【請求項３】
前記ランプはＧＸ５３形の口金を有し、ランプ正面とカバー部材内面との間隔寸法を、口金のソケットに対する係合代の寸法より小となしたことを特徴とする請求項１または２記載の照明器具。
【発明の詳細な説明】
【技術分野】
【０００１】
本発明の実施形態は、部屋の壁面等に設置される照明器具に関する。
【背景技術】
【０００２】
従来、この種の照明器具は、部屋の壁面や階段に沿う壁面等に設置され、壁面の上方と下方に向けて光を照射することによって、間接照明による演出効果をもたせるために使用されている。
【先行技術文献】
【特許文献】
【０００３】
【特許文献１】特開２００４−２２３１５号公報
【発明の概要】
【発明が解決しようとする課題】
【０００４】
しかしながら、この種の照明器具は、光源の前面側を非透光性のカバーで覆い、光を上下方向に放射させるように構成されている。また光源としては、前面側および周囲方向に向けて光を放射する白熱電球が用いられているのが一般的で、前面側に放射される光は、覆われたカバーによって遮られるために上下方向へ光を向かせることが難しくなる。また周囲方向に向けて放射される光もカバーの両側面で遮られるために上下方向に向かわせることが難しくなる。
【０００５】
このため、上下方向に向かう光が不足し、明るさ感や間接照明による演出効果が減少する問題が生じる。特に、光源としてＧＸ５３形の口金を有する薄型のコンパクト形蛍光ランプや発光ダイオードを光源としたフラット形のランプを光源とした場合には、その光が水平方向に集中し、明るさ感や演出効果が一層減少する問題が生じる。このため、この種の壁面に設置される照明器具においては、光を如何に効率的に上下方向に向けて放射させるかが重要な課題となっている。
【０００６】
本発明は、上記課題に鑑みてなされたもので、ランプから放射される光を効率的に目的とする方向に向けて放射させることが可能な照明器具を提供しようとするものである。
【課題を解決するための手段】
【０００７】
本発明の実施形態における照明器具は、正面側および側面周囲に発光部を有するランプを具備し、器具本体はランプにおける側面周囲の発光部から背面側に放射される光の延長線上に略沿って傾斜する反射面を側面に有する箱体からなる。ソケットは、器具本体内に設けられランプが装着される。カバー部材は、ランプを覆うように器具本体に設けられランプから放射される光をランプの略中心を通る直線上に沿って対向する両方向に向けて放射する開口部を有する。
【発明の効果】
【０００８】
本発明の実施形態によれば、ランプから放射される光を効率的に目的とする方向に向けて放射させることが可能な照明器具を提供することができる。
【図面の簡単な説明】
【０００９】
【図１】本発明の実施形態である照明器具を示し、（ａ）は上面図、（ｂ）は下面図。
【図２】同じく照明器具に使用されるランプを示し、（ａ）は左側面視の斜視図、（ｂ）は右側面視の斜視図。
【図３】同じく照明器具を示し、（ａ）は分解して示す斜視図、（ｂ）は端子板を拡大して示す斜視図。
【図４】同じく照明器具の器具本体を示し、（ａ）は支持板およびソケットを外した状態を示す斜視図、（ｂ）は支持板を取り付けた状態を示す斜視図、（ｃ）はソケットを取り付けた状態を示す斜視図。
【図５】同じくカバー部材を器具本体に挿入する状態を示す斜視図。
【図６】同じく照明器具を示し、（ａ）は壁面に設置した器具本体にカバー部材を挿入する状態を示す斜視図、（ｂ）は照明器具を階段に沿う壁面に設置した状態を概略的に示す側面図。
【図７】同じくランプ正面とカバー部材内面との間隔寸法と、口金のソケットに対する係合代の関係を、一部を切断して示す側面図。
【図８】同じく照明器具の変形例を示し、（ａ）は第１の変形例を示す下面図、（ｂ）は第２の変形例を示す下面図。
【図９】同じく照明器具の変形例を示し、（ａ）は第３の変形例を示す斜視図、（ｂ）は第４の変形例を示す斜視図。
【図１０】同じく照明器具の変形例を示し、（ａ）は第５の変形例を示す斜視図、（ｂ）は第６の変形例を示す斜視図。
【図１１】同じく照明器具の第７の変形例を示す斜視図。
【発明を実施するための形態】
【００１０】
以下、本発明に係る照明器具の実施形態について説明する。
【実施形態１】
【００１１】
本実施形態の照明器具は、壁面設置形の照明器具１０を構成するもので、図１に示すように、正面側および側面周囲に発光部１１ｂ１、１１ｂ２を有するランプ１１、ランプにおける側面周囲の発光部１１ｂ２から背面側に放射される光の延長線ａ−ａ上に略沿って傾斜する反射面を側面１２ａに有する箱体からなる器具本体１２、器具本体内に設けられランプが装着されるソケット１３、ランプを覆うように器具本体に設けられ、ランプから放射される光をランプの略中心ｏを通る直線ｘ−ｘ上(図６（ａ）)に沿って対向する両方向に向けて放射する開口部１４ｃを有するカバー部材１４で構成する。
【００１２】
ランプ１１は、図２に示すように、ＧＸ５３形の口金を有する円形のフラット形のランプで、円形のランプ本体１１ａと発光部を構成する円形のグローブ１１ｂで構成されている。ランプ本体１１ａ内には、発光ダイオードを光源とした光源部（図示せず）が設けられ、底面にＧＸ５３形の口金１１ｃが設けられている。ＧＸ５３形の口金は、周知の構成で、導電性を有する金属からなり、円柱状をなす軸部１１ｃ１と円板状のプラグ部１１ｃ２を有するピン形の一対の口金ピンで構成する。
【００１３】
グローブ１１ｂは、透光性を有する透明または光拡散性を有する半透明の部材、本実施形態では乳白色のガラスで正面側が曲面形状に、側面周囲は円筒状をなすように浅い椀状をなす形状に構成され、光源部を覆うようにしてランプ本体１１ａに設けられ、グローブ正面が正面側の発光部１１ｂ１となり、グローブ側面（外周面）が側面周囲の発光部１１ｂ２となるように構成される。なお、図２中の縦縞３層の構成体の内、左方の１層が側面周囲の発光部１１ｂ２であり、残り２層は発光しないランプ本体１１ａである。
【００１４】
器具本体１２は、図１に示すように、耐熱性を有する合成樹脂、本実施形態では、白色のＰＢＴ（ポリブチレンテレフタレート）樹脂により、横断面形状が略正方形の正四角錐をなす箱体に構成され、傾斜する各側面１２ａは反射面となるように構成される。この反射面を構成する各側面（４面）１２ａは、ランプ１１を器具本体１２に装着した場合に、ランプ１１における側面周囲の発光部１１ｂ２から背面側に放射される光の延長線ａ−ａ上に略沿って傾斜するように形成される。反射面を構成する各側面１２ａは、例えば、表面を白色に塗装しても、アルミニウムや銀等の金属を蒸着、若しくはメッキなどを施して鏡面または半鏡面に加工したものであってもよい。
【００１５】
また、器具本体１２は、図４（ａ）に示すように、内部に円形の凹嵌部からなる支持凹部１２ｂが一体に形成され、支持凹部の底面には、器具本体を壁面等に木ネジを用いて固定するための一対の取付孔１２ｂ１を形成する。この一対の取付孔は、長孔からなり円形の支持凹部における直径方向に対向した外周部に形成され、それぞれの長孔の向きが略直交するように形成される。
【００１６】
上記のように、壁面等への設置のための取付孔１２ｂ１を器具本体１２の支持凹部１２ｂに形成することにより、従来からこの種の壁面設置形の照明器具に用いられていた取付金具が不要となる。取付金具を使用した場合、部品点数が多くなることは勿論、器具の設置に際しても器具本体と取付金具との間で位置ずれが生じ、照明器具が傾いてしまうため設置作業に手間がかかる。しかし、本実施形態のように、取付孔１２ｂ１を器具本体１２に形成することにより、設置作業を容易にすることが可能になる。
【００１７】
また、支持凹部１２ｂの底面には、４本の支持ボスが一体に形成される。この支持ボスは取付孔１２ｂ１と略直交する直径方向に対向する２本の支持ボス１２ｂ２と、この支持ボスから回転方向にそれぞれ約４５°の角度分ずれた位置に２本の支持ボス１２ｂ３が一体に形成されている。この支持ボス１２ｂ３の頂部にはネジ孔が一体に形成されている。
【００１８】
図中１２ｂ５は、支持凹部１２ｂにおける底面の中央部に形成された電線引込孔で、屋内配線から引き出された電線を支持凹部１２ｂ内に引き込むための貫通された孔である。また、図３（ａ）中の１２ｂ６は、器具本体の対向する外底面の角の稜線に沿って形成れた段部からなるガイド溝で、後述するカバー部材１４がスライドされて嵌め込まれる。
【００１９】
上記に構成された器具本体１２の支持凹部１２ｂ内には、ソケット１３が設けられる。ソケット１３は、図３（ａ）に示すように、ランプ１１が着脱可能になるように装着されるもので、電気絶縁性を有する合成樹脂、本実施形態ではＰＢＴ樹脂で構成された円板状をなすソケット本体１３ａで構成される。ソケット本体は、中央部に貫通した嵌合孔１３ｂが形成されたリング状をなし、嵌合孔にはランプ本体１１ａの背面側に設けられた突出部１１ａ１が嵌合される。
【００２０】
また、ソケット本体１３ａには、図３（ｂ）に示すように、ランプ１１の一対の口金１１ｃが電気的に接続される一対の端子板１３ｃと、この端子板を収納するとともに、口金１１ｃと端子板１３ｃとの電気接続時に、ランプ１０とソケット本体とを機械的に結合する一対の係合孔１３ｄを形成する。係合孔は、円弧状をなす長孔からなる係止孔１３ｄ１と、この係止孔の一端に連続して形成された円形の孔からなる挿入孔１３ｄ２とで構成されたダルマ孔からなる。この挿入孔１３ｄ２の直径寸法は、口金１１ｃのプラグ部１１ｃ２の直径寸法より大きく形成し、係止孔１３ｄ１の長孔の幅寸法は、プラグ部１１ｃ２の直径寸法より小さく形成する。これにより、口金のプラグ部１１ｃ２が挿入孔１３ｄ２から挿入され、長孔からなる係止孔１３ｄ１に回動移動させることによって、プラグ部１１ｃ２が係合孔１３ｄ内に収納された端子板１３ｃに接触して電気的な接続がなされると共に、プラグ部１１ｃ２が係止孔１３ｄ１の裏面側に係止してプラグ部の係合孔からの抜け止めがなされて機械的に保持される。また、ソケット本体１３ａには、上記の一対の係合孔１３ｄを避ける位置に、支持用のボス孔１３ｅを一体に４本形成する。
【００２１】
上記に構成されたソケット本体１３ａは、支持板１５を介して器具本体の支持凹部１２ｂ内に固定される。支持板１５は、図３（ａ）に示すように、薄い円板状をなす塗装鋼板で構成され、円の直径は支持凹部１２ｂ内に挿入できる大きさに形成する。そして、支持板１５の外周部分にダルマ孔からなる一対の固定孔１５ａが形成され、この固定孔は支持凹部１２ｂのネジ孔を有する２本の支持ボス１２ｂ３に対応した位置に形成され、固定孔１５ａからタッピンネジ１５ｂを挿入して支持ボス１２ｂ３のネジ孔にねじ込むことにより、支持板１５が支持凹部１２ｂの底面に固定される。なお図中１６は端子台で、支持板１５の裏面側にネジ止めによって固定されている。
【００２２】
また、支持板１５には、固定孔１５ａを避ける位置に一対のネジ孔１５ｃが形成されている。このネジ孔は、ソケット本体１３ａの直径方向に対向する２本のボス孔１３ｅに対応して形成され、ボス孔１３ｅからネジ１３ｆを挿入してネジ孔１５ｃにねじ込むことによって、ソケット本体１３ａが支持板１５に固定され一体化される。これにより、ソケット１３が器具本体の支持凹部１２ｂの底面に支持板１５を介して固定され、同時に、支持板１５の裏面に固定された端子台１６が支持凹部１２ｂ内に収納される（図４（ｂ））。
【００２３】
この際、支持板１５は、直径方向に対向する２本の支持ボス１２ｂ２と、この支持ボスから約４５°の角度分だけ回転方向にずれた２本の支持ボス１２ｂ３との４本の支持ボスによって安定して固定されるため、傾くことがなくまた左右にグラつくことなく固定され、支持板１５に固定されたソケット１３は、器具本体１２に対して、傾くことがなくまた強固に固定される。これにより、壁面等への設置のための従来の取付金具を不要とした構成と相まって、強固でかつ確実に設置するための施工性を向上させることが可能となる。
【００２４】
また、同時に、図４（ａ）に示すように、端子台１６を４本の支持ボス１２ｂ２、１２ｂ３を避けた位置に配置することが可能になり、支持凹部１２ｂ内の狭い空間を有効に活用して、端子台１６を収納することができ、器具本体１２の小形化に寄与することが可能となった。換言すれば、ネジ孔を有する２本の支持ボス１２ｂ３は、端子台１６の位置を回避し、さらに支持凹部１２ｂの一対の取付孔１２ｂ１の位置を回避した適正な位置に形成される。
【００２５】
上記により、器具本体１２の支持凹部１２ｂ内に設けられたソケット１３は、その一対の端子板１３ｃがリード線（図示せず）によって端子台１６に接続され、端子台１６と電線引込孔１２ｂ５から引き込まれた屋内配線の電線（図示せず）が接続されることにより、ソケット１３に商用電源が供給され、ソケットにランプ１１の口金１１ｃが装着されることによって、ランプが点灯される。
【００２６】
次にカバー部材１４の構成につき説明する。カバー部材１４は、図３（ａ）に示すように、本実施形態では器具本体１２と同様に、非透光性の白色のＰＢＴ樹脂で構成され、断面がコ字状をなす箱体として構成され、正面および両側面に閉塞されたカバー部１４ａが形成され、後面に開放された取付部１４ｂが形成され、両端部（設置時における上下の両端部）に開口部１４ｃが形成される。開口部１４ｃは、ランプ１１から放射される光を、ランプの略中心Ｏを通る直線ｘ−ｘ上に沿って対向する両方向（設置時における上下方向）に向けて放射する（図６（ａ））。
【００２７】
上記に構成されたカバー部材１４は、ランプ１１を覆うようにして器具本体１２に取り付けられる。カバー部材は、その両側面の下辺部に沿って、互いに対向する方向に凸条部１４ｄを一体に形成する。凸条部は、図５、図６に示すように、器具本体１２の対向する外底面の角の稜線に沿って形成されたガイド溝１２ｂ６に対して、一方の開口部１４ｃが嵌め込まれ、ガイド溝１２ｂ６に沿ってスライドさせることにより、カバー部材１４が器具本体１２に対して着脱が可能になるように取り付けられる。
【００２８】
これにより、カバー部材１４の閉塞された正面および両側面からなるカバー部１４ａによって、器具本体に装着されたフラット形のランプ１１の正面側の発光部１１ｂ１と、側面周囲の発光部１１ｂ２における両側面側（設置における左右の両側面側）が覆われる。同時に、ランプ１１の両側面側と直交する方向の両端部側（設置時における上下の両端部側）が、カバー部材１４の上下の開口部１４ｃ、１４ｃに面するように位置して取り付けられる。
【００２９】
上記にようにカバー部材１４が器具本体１２に取り付けられた状態でランプ１１を点灯すると、ランプから放射される光は、カバー部材の両端部側（設置時における上下の両端部側）の開口部１４ｃ、１４ｃから効率的に放射される。すなわち、ランプ１１の正面側の発光部１１ｂ１から放射された光は、閉塞されたカバー部１４ａの内面によって反射され、さらに器具本体１２の反射面をなす側面１２ａで反射され、この反射が繰り返されることにより上下の開口部１４ｃ、１４ｃに向かって十分に放射される。
【００３０】
また、ランプ１１の側面周囲の発光部１１ｂ２から放射される光は、上下の開口部１４ｃ、１４ｃに向かう光と、閉塞された左右のカバー部１４ａに向かう光に分かれる。上下の開口部１４ｃ、１４ｃに向かう光は何ら遮光されることなく、開口部から上下方向に向かって放射される。また、閉塞された左右のカバー部１４ａに向かう光は、カバー部１４ａの内面で反射し、さらに器具本体１２の反射面をなす側面１２ａで反射される。この反射が繰り返されることにより、これらの光は上下の開口部１４ｃ、１４ｃに向かって十分に放射される。
【００３１】
特に、器具本体側面１２ａの反射面は、ランプにおける側面周囲の発光部１１ｂ２から背面側に放射される光の延長線ａ−ａ上に略沿って傾斜していることにより、上記反射の繰り返しが効果的に行えることで、本来、カバー部１４ａによって遮光され有効に活用され難いランプ正面側の発光部１１ｂ１からの光と、側面周囲の発光部１１ｂ２から左右のカバー部１４ａに向かう光を共に効果的に反射させ、カバー部材の上下の開口部１４ｃ、１４ｃから効率的に放射させて壁面を照射することができる。これにより、明るさ感や間接照明による演出効果を十分に発揮することができ、従来生じていた明るさ感や演出効果が減少する問題を解消することが可能となった。
【００３２】
また、上記のように、カバー部材１４を器具本体１２に取り付けた状態で、図７に示すように、ランプ正面Ａとカバー部材１４正面の内面Ｂとの間隔寸法ａは、口金１１ｃのソケット１３に対する係合代の寸法ｂより小（ａ＜ｂ）となるように構成して、ランプ１１の落下を防止するようにしている。なお、ランプの口金１１ｃは、上述したように、口金のプラグ部１１ｃ２が係止孔１３ｄ１の裏面側に係止して、プラグ部１１ｃ２の係合孔１３ｄからの抜け止めがなされて機械的に保持される。この保持された状態におけるプラグ部１１ｃ２の頂部と係合孔１３ｄの表面側までの寸法ｂが、口金１１ｃのソケット１３に対する係合代となる。
【００３３】
これは、ＧＸ５３形の口金１１ｃは、端子板１３ｃを「く」の字状に形成し（図３（ｂ））、口金の軸部１１ｃ１が、この「く」の字状の入口部分を乗り越えて電気接続がなされ、口金がソケットの端子板に対して確実に接続されるようにしている。しかし、使用者は、ランプを回動させて装着する際に、口金の軸部１１ｃ１が端子板１３ｃの「く」の字状の入口部分に当たると、ランプがソケットに装着されたと誤解し、回動操作を止めてしまうことがあり、ランプ１１がソケット１３に対して半掛かり状態となる虞がある。半掛かり状態となった場合には、器具本体１２に振動等が加わった場合、ランプ１１がソケット１３から外れ落下する虞がある。
【００３４】
しかし、上記のように、ランプ正面Ａとカバー部材の内面Ｂとの間隔寸法ａを、口金１１ｃのソケット１３に対する係合代の寸法ｂより小となるように構成することにより、ランプの設置時における水平方向への移動が、カバー部材１４正面の内面Ｂによって阻止され、口金のプラグ部１１ｃ２が係合孔１３ｄに係合した状態を保持することができ、ランプの落下が防止される。同時に、ランプ正面Ａとカバー部材の内面Ｂとの間は、間隔寸法ａによってランプ正面Ａとカバー部材内面Ｂが近接することがなく、ランプとカバー部材が近すぎて配光が適正とならない問題を解消し、適正な配光にすることが可能になる。さらに、ランプ１１の光源体を構成する発光ダイオードは、比較的に輝度が高くランプ１１とカバー部材１４が近接すると発光ダイオードの粒粒感が出やすくなるが、間隔寸法ａによってランプとカバー部材が近接することがなく、粒粒感が明確とならない適正な配光にすることが可能になる。
【００３５】
また、上記のように、カバー部材１４は、その両側面の下辺部に沿って、互いに対向する方向に凸条部１４ｄを一体に形成し、器具本体１２のガイド溝１２ｂ６に沿ってスライドさせることにより、器具本体１２に対して着脱が可能になるように取り付けられる。このため、カバー部材１４の器具本体１２への取り付けを簡単に行うことができ、設置のための施工性を一層向上させることができる。同時に、カバー部材１４の器具本体１２への取付部分には隙間が形成されることがない。このため、上述したように、器具本体側面１２ａの反射板によって光の反射が繰り返されても、反射光の回り込みによる光漏れを防ぐことが可能になる。特に、本実施形態のように、凸条部１４ｄとガイド溝１２ｂ６が切れ目なく配置されることから、光漏れを一層確実に防ぐことが可能になる。また、本実施形態のように、非透光性のカバー部材１４で構成した場合には、壁面への光漏れ（設置時における左右方向への不要な光漏れ）を確実に防ぐことができ特に有効である。
【００３６】
また、図１（ａ）に示すように、ランプ１１からカバー部材１４の開口部１４ｃ、１４ｃに向けて両方向に放射される光は、一方（設置時の上方）が遮光部材によって部分的に遮光される。これは、特に、図６（ｂ）に示すように、階段に沿う壁面Ｈに照明器具１０を設置した場合に、階段を上がる場合には階段を見ながら上がるが、下りる場合にはランプの光が目に入り眩しくなり階段を踏み外す虞がある。このために、遮光部材を設けることによってその危険性を回避するための対応を図っている。
【００３７】
遮光部材は、本実施形態においては遮光板１７で構成する。遮光板は、図１（ａ）に示すように器具本体１２と同様に、白色のＰＢＴ樹脂で構成され、その形状は、上方から見た形状が円弧状をなし、円弧の頂点部分Ｐをランプの側面周囲の発光部１１ｂ２からやや突出させて大きく形成し、突出した頂点部分Ｐから両側に向けてランプ長より徐々に小さくなる形状に形成する。また、ランプ正面から見た形状は、側面周囲の発光部１１ｂ２の形状に沿った円弧状をなすように形成する。
【００３８】
これにより、特に、側面周囲の発光部１１ｂ２からカバー部材１４の上方の開口部１４ｃに向けて放射される光は、遮光板１７によって部分的に遮光され、階段を下りる際にランプの光が直接目に入ることが防止される。同時に、遮光板１７は、突出した頂点部分Ｐから両側に向けてランプ長より徐々に小さくなる形状に形成したので、上方に向かう光を全て遮光することがなく、壁面への光を確保することができる。これにより、上下の開口部１４ｃ、１４ｃによって壁面へ投影される光形が略同形状となり、所定の演出効果を発揮させ、壁面上下を略同程度の明るさに確保することが可能になる。
【００３９】
図３（ａ）中、１７ａは、遮光板１７を取り付けるための支持凸起で、遮光板の裏面に一体に４個が形成される。この支持凸起１７ａは、器具本体１２の支持凹部１２ｂに形成された係合孔１２ｃに、樹脂の弾性を利用して遮光板を撓ませながら嵌め込み係合させて固定する。また、樹脂の弾性を利用して撓ませることによって簡単に取り外すことができる。これにより、遮光板１７は階段等で必要な場合に設置すればよく、別売りの部品とすることも可能となる。
【００４０】
次に、上記に構成された照明器具１０を壁面に設置するための施工手順を説明する。先ず、器具本体１２の支持凹部１２ｂに形成された取付孔１２ｂ１に木ネジを挿入し壁面にねじ込んで固定する(図４（ａ）)。この際、従来のように取付金具を使用することなく固定することができる。
【００４１】
次に、支持板１５の固定孔１５ａを器具本体の支持凹部１２ｂに設けられた２本の支持ボス１２ｂ３に載置し、固定孔１５ａからタッピンネジ１５ｂを挿入して支持ボス１２ｂ３のネジ孔にねじ込み固定する。この際、支持板は４本の支持ボス１２ｂ２、１２ｂ３によって支持されるので、傾くことがなく、またグラつくことなく固定される(図４（ｂ）)。
【００４２】
次に、器具本体１２に固定された支持板１５のネジ孔１５ｃに対し、ソケット１３のボス孔１３ｅを対向させて載置し、ボス孔にネジ１３ｆを挿入し、支持板１５のネジ孔１５ｃにねじ込んで固定する。この際、支持板１５が器具本体１２に傾くことがなく、またグラつくことなく固定されているので、ソケット１３も傾くことがなく強固に固定される(図４（ｃ）)。
【００４３】
次に、器具本体１２に固定されたソケット１３に対して、ランプ１１を装着する。これは、ランプの口金１１ｃをソケット１３の挿入孔１３ｄ２に挿入し、さらに、所定の角度だけ回動させて口金１１ｃを係止孔１３ｄ１に係止させることにより、ランプ１１が機械的にソケット１３に装着されると同時に、口金１１ｃが端子板１３ｃに接続されて電気的な接続がなされる。
【００４４】
次に、カバー部材１４の一方の開口部１４ｃを器具本体１２のガイド溝１２ｂ６の入口に合致させ、凸条部１４ｄをガイド溝に嵌合させながらそのままスライドさせ、他方の開口部１４ｃがガイド溝１２ｂ６の出口に達した時点で止める。これにより、カバー部材１４によりランプ１１および器具本体１２が覆われるとともに、カバー部材の開口部１４ｃ、１４ｃが上下方向に位置して設置される。そして、ランプ１１を点灯することにより、照明器具１０の上下方向の壁面が照射された間接照明による演出効果をもった照明が行われる。なお、上記とは逆にスライドさせてカバー部材１４を器具本体１２から取り外すことにより、ランプ１１の交換を簡単に行うことができる。なお、カバー部材１４は、器具本体１２の下方からでも上方からでも、ガイド溝１２ｂ６に対してスライドさせて取り付けることができる。
【００４５】
また、階段等で遮光板１７を取り付ける場合には、ランプ１１を器具本体１２に装着した後、換言すれば、カバー部材１４を取り付ける前に、遮光板１７の支持凸起１７ａを樹脂の弾性を利用して撓ませながら器具本体１２の係合孔１２ｃに嵌め込み係合させて固定する。
【００４６】
以上、本実施形態によれば、ランプ１１における側面周囲の発光部１１ｂ２から背面側に放射される光の延長線ａ−ａ上に略沿って傾斜する反射面を側面１２ａに有する箱体からなる器具本体１２により、カバー部材１４の両端部（設置時における上下両端部）の開口部１４ｃ、１４ｃから光を効率的に放射させて壁面を照射することができ、明るさ感や間接照明による演出効果を十分に発揮することが可能となる。
【００４７】
また、本実施形態によれば、上記作用効果を奏するととともに、次のような作用効果を奏することができる。すなわち、ランプにおける側面周囲の発光部１１ｂ２からカバー部材１４の開口部１４ｃ、１４ｃに向けて両方向（設置時における上下方向）に放射される光は、一方が遮光部材１７によって部分的に遮光されることにより、例えば、階段を下りる際に、ランプの光が目に入ることが防止され、同時に、遮光部材１７は突出した頂点部分Ｐから両側に向けてランプ長より徐々に小さくなる形状に形成したので、上下の開口部１４ｃ、１４ｃによって壁面へ投影される光形が略同形状となるようにすることができ、所定の演出効果を発揮させ、壁面上下を略同程度の明るさに確保することが可能になる。
【００４８】
また、ランプはＧＸ５３形の口金１１ｃを有し、ランプ正面Ａとカバー部材１４内面Ｂとの間隔寸法ａを、口金１１ｃのソケット１３に対する係合代の寸法ｂより小となしたことにより、ランプ１１の落下が防止され、同時に、ランプ１１とカバー部材１４が近すぎて配光が適正とならない問題を解消し、適正な配光を得ることが可能になる。
【００４９】
以上、本実施形態において、照明器具１０は、壁面や階段に沿う壁面等に設置され、上下方向に光を放射させた間接照明による演出効果を発揮させることが好ましいが、例えば、廊下の足元灯、さらには、天井面や棚下等に設置し、光を左右方向に放射させるようにしてもよい。
【００５０】
ランプは、発光ダイオードを光源体としたフラット形のランプで構成したが、薄型のコンパクト形蛍光ランプであってもよい。さらには、ＬＥＤランプや白熱電球等であってもよく、要は、正面側および側面周囲に発光部を有している全てのランプが許容される。
【００５１】
ランプにおける側面周囲の発光部１１ｂ２から背面側に放射される光の延長線ａ−ａ上に略沿って傾斜する反射面を側面１２ａに有する器具本体１２は、側面１２ａの４面全てを光の延長線ａ−ａ上に略沿って傾斜する反射面に形成したが、上下方向の側面のみ、または、左右方向の側面のみを、光の延長線ａ−ａ上に略沿って傾斜する反射面に形成したものであってもよい。また、傾斜する反射面が、光の延長線ａ−ａ上に合致していることが好ましいが、厳密に合致している必要はなく、例えば、図８（ａ）に示すように、延長線ａ−ａ上から若干ずれた略平行な線ｂ−ｂまたは図８（ｂ）に示すように多少傾斜した線ｃ−ｃ上に位置させてもよく、要は、光の反射を効果的に繰り返すことができるように、光の延長線上に略沿って傾斜する反射面を側面１２ａに有していればよい。また、箱体の形状は、正四角錐に限らず、例えば、図９（ａ）に示すように、横断面形状が長方形をなす四角錐であっても、図９（ｂ）に示すように、円形や楕円形をなす円錐形状であってもよい。
【００５２】
また、カバー部材１４は、開口部１４ｃが広く開放されていることが好ましいが、図１０（ａ）に示すように、開口部１４ｃの一部を閉塞させるようにしてもよく、さらには、図１０（ｂ）に示すように、ルーバー１４ｃ１を設けたものであってもよい。本実施形態において、非透光性のカバー部材を用いたが、透明または半透明、さらには、一部を非透光性とし、他の部分を透明または半透明に構成したものであってもよい。また、断面が「コ」の字の形状に限らず、例えば、半円形や三角形をなすように形成してもよい。カバー部材は、合成樹脂に限らず、例えば、木製やガラス製であってもよい。
【００５３】
また、凸条部１４ｄをカバー部材に形成し、ガイド溝１２ｂ６を器具本体１２に形成したが、逆に、凸条部を器具本体に形成し、ガイド溝をカバー部材に形成してもよい。さらに、凸条部とガイド溝に限らず、図１１に示すように、凸起１４ｄ１を凹部１２ｂ７に係合させて取り付けるようにしてもよい。この場合、カバー部材１４と器具本体１２との間に、切れ目なく合わせ部分を設けることによって光漏れを防ぐようにする。また、凸起と凹部であれば、カバー部材を上下方向にスライドさせることなく、ランプの正面側から着脱することも可能になる。
【００５４】
以上、本発明の好適な実施形態を説明したが、本発明は上述の実施形態に限定されることなく、本発明の要旨を逸脱しない範囲内において、種々の設計変更を行うことができる。
【符号の説明】
【００５５】
１０  照明器具
１１  ランプ
１１ｃ  口金
１１ｂ１  正面側の発光部
１１ｂ２  側面周囲の発光部
１２  器具本体
１２ａ  側面
１３  ソケット
１４  カバー部材
１４ｃ  開口部
１７  遮光部材
ａ−ａ  光の延長線
ａ    間隔寸法
ｂ    係合代の寸法
【図１】
2012043687.tif 000003
【図２】
2012043687.tif 000004
【図３】
2012043687.tif 000005
【図４】
2012043687.tif 000006
【図５】
2012043687.tif 000007
【図６】
2012043687.tif 000008
【図７】
2012043687.tif 000009
【図８】
2012043687.tif 000010
【図９】
2012043687.tif 000011
【図１０】
2012043687.tif 000012
【図１１】
2012043687.tif 000013